【手続補正書】
【提出日】平成28年8月2日(2016.8.2)
【手続補正１】
【補正対象書類名】特許請求の範囲
【補正対象項目名】全文
【補正方法】変更
【補正の内容】
【特許請求の範囲】
【請求項１】
個別に発光量を調節可能な複数の光源と、
前記光源からの光を測定するセンサと、
測定対象の光源が点灯し測定対象でない光源が消灯した状態で前記センサから出力される測定値に基づき当該測定対象の光源の光学特性を測定する測定手段と、
前記光源の発光を制御する制御手段と、
を備え、
前記制御手段は、測定対象でない光源と前記センサとの距離に応じた順序で、測定対象でない光源を消灯させることを特徴とする発光装置。
【請求項２】
前記制御手段は、測定対象でない光源を前記センサに近い光源から順に消灯させる消灯処理を行うことにより、測定対象の光源のみ点灯し測定対象でない光源が消灯した状態とする請求項１に記載の発光装置。
【請求項３】
各光源との位置関係が異なる複数のセンサを有し、
各光源に対応して、前記測定手段が光学特性を測定する際に測定値を取得するセンサが決められており、
前記制御手段は、前記消灯処理において、測定対象でない光源を、測定値を取得するセンサに近い光源から順に消灯させる請求項２に記載の発光装置。
【請求項４】
前記制御手段は、前記消灯処理において消灯する対象の光源のうちに、測定値を取得するセンサとの距離が同じ光源が複数ある場合、消灯処理の開始する時点において点灯している光源を優先的に消灯させる請求項３に記載の発光装置。
【請求項５】
前記発光装置は、画像信号に応じて前記発光装置からの光を変調することで画像を表示する表示パネルに光を照射するバックライトであり、
前記制御手段は、前記消灯処理において消灯する対象の光源のうちに、測定値を取得するセンサとの距離が同じ光源が複数ある場合、前記表示パネルの走査方向に基づいて、優先的に消灯させる光源を決める請求項３又は４に記載の発光装置。
【請求項６】
前記光源は、点灯期間と消灯期間の長さを調節することにより発光量を調節可能な光源であり、光源ごとに点灯期間と消灯期間のタイミングが予め定められており、
前記制御手段は、測定対象の光源の予め定められた点灯期間中に、前記測定手段による前記センサからの測定値の取得が行われるように、前記消灯処理を開始する請求項３〜５のいずれか１項に記載の発光装置。
【請求項７】
前記発光装置は画像表示装置のバックライトであり、
前記制御手段は、画面の横方向に並ぶ複数の光源からなる光源列ごとに発光を制御するものであって、前記消灯処理において、測定値を取得するセンサに近い光源列から順に消灯させる請求項３〜６のいずれか１項に記載の発光装置。
【請求項８】
前記各光源と前記各センサとの距離の情報を取得する取得手段を更に備え、
前記制御手段は、前記取得手段により、前記各光源と測定値を取得するセンサとの距離の情報を取得し、当該情報に基づいて、前記消灯処理において測定対象でない光源を消灯させる順序を決定する請求項３〜７のいずれか１項に記載の発光装置。
【請求項９】
前記測定手段は、前記制御手段による消灯処理が完了した後、測定値を取得するセンサが飽和状態から復帰するまで待ってから、前記センサから測定値を取得する請求項３〜８のいずれか１項に記載の発光装置。
【請求項１０】
前記測定手段は、前記制御手段による消灯処理が完了した時点で、測定値を取得するセンサが飽和状態から復帰している場合、前記消灯処理が完了した時点で前記センサから測定値を取得する請求項３〜８のいずれか１項に記載の発光装置。
【請求項１１】
請求項１〜１０のいずれか１項に記載の発光装置をバックライトとして備える画像表示装置。
【請求項１２】
個別に発光量を調節可能な複数の光源と、
前記光源からの光を測定するセンサと、
を備える発光装置の制御方法であって、
測定対象の光源が点灯し測定対象でない光源が消灯した状態で前記センサから出力される測定値に基づき当該測定対象の光源の光学特性を測定する測定工程と、
前記光源の発光を制御する制御工程と、
を有し、
前記制御工程では、測定対象でない光源と前記センサとの距離に応じた順序で、測定対象でない光源を消灯させることを特徴とする発光装置の制御方法。
【請求項１３】
前記制御工程では、測定対象でない光源を前記センサに近い光源から順に消灯させる消灯処理を行うことにより、測定対象の光源のみ点灯し測定対象でない光源が消灯した状態とする請求項１２に記載の発光装置の制御方法。
【請求項１４】
各光源との位置関係が異なる複数のセンサを有し、
各光源に対応して、前記測定工程で光学特性を測定する際に測定値を取得するセンサが決められており、
前記制御工程では、前記消灯処理において、測定対象でない光源を、測定値を取得するセンサに近い光源から順に消灯させる請求項１３に記載の発光装置の制御方法。
【請求項１５】
前記制御工程では、前記消灯処理において消灯する対象の光源のうちに、測定値を取得するセンサとの距離が同じ光源が複数ある場合、消灯処理の開始する時点において点灯している光源を優先的に消灯させる請求項１４に記載の発光装置の制御方法。
【請求項１６】
前記発光装置は、画像信号に応じて前記発光装置からの光を変調することで画像を表示する表示パネルに光を照射するバックライトであり、
前記制御工程では、前記消灯処理において消灯する対象の光源のうちに、測定値を取得するセンサとの距離が同じ光源が複数ある場合、前記表示パネルの走査方向に基づいて、優先的に消灯させる光源を決める請求項１４又は１５に記載の発光装置の制御方法。
【請求項１７】
前記光源は、点灯期間と消灯期間の長さを調節することにより発光量を調節可能な光源であり、光源ごとに点灯期間と消灯期間のタイミングが予め定められており、
前記制御工程では、測定対象の光源の予め定められた点灯期間中に、前記測定工程における前記センサからの測定値の取得が行われるように、前記消灯処理を開始する請求項１４〜１６のいずれか１項に記載の発光装置の制御方法。
【請求項１８】
前記発光装置は画像表示装置のバックライトであり、
前記制御工程では、画面の横方向に並ぶ複数の光源からなる光源列ごとに発光を制御するものであって、前記消灯処理において、測定値を取得するセンサに近い光源列から順に消灯させる請求項１４〜１７のいずれか１項に記載の発光装置の制御方法。
【請求項１９】
前記各光源と前記各センサとの距離の情報を取得する取得工程を更に有し、
前記取得工程では、前記各光源と測定値を取得するセンサとの距離の情報を取得し、
前記制御工程では、当該情報に基づいて、前記消灯処理において測定対象でない光源を消灯させる順序を決定する請求項１４〜１８のいずれか１項に記載の発光装置の制御方法。
【請求項２０】
前記測定工程では、前記制御工程における消灯処理が完了した後、測定値を取得するセンサが飽和状態から復帰するまで待ってから、前記センサから測定値を取得する請求項１４〜１９のいずれか１項に記載の発光装置の制御方法。
【請求項２１】
前記測定工程では、前記制御工程における消灯処理が完了した時点で、測定値を取得するセンサが飽和状態から復帰している場合、前記消灯処理が完了した時点で前記センサから測定値を取得する請求項１４〜１９のいずれか１項に記載の発光装置の制御方法。 
【手続補正２】
【補正対象書類名】明細書
【補正対象項目名】０００７
【補正方法】変更
【補正の内容】
【０００７】
本発明は、個別に発光量を調節可能な複数の光源と、
前記光源からの光を測定するセンサと、
測定対象の光源が点灯し測定対象でない光源が消灯した状態で前記センサから出力される測定値に基づき当該測定対象の光源の光学特性を測定する測定手段と、
前記光源の発光を制御する制御手段と、
を備え、
前記制御手段は、測定対象でない光源と前記センサとの距離に応じた順序で、測定対象でない光源を消灯させることを特徴とする発光装置である。 
【手続補正３】
【補正対象書類名】明細書
【補正対象項目名】０００８
【補正方法】変更
【補正の内容】
【０００８】
本発明は、個別に発光量を調節可能な複数の光源と、
前記光源からの光を測定するセンサと、
を備える発光装置の制御方法であって、
測定対象の光源が点灯し測定対象でない光源が消灯した状態で前記センサから出力される測定値に基づき当該測定対象の光源の光学特性を測定する測定工程と、
前記光源の発光を制御する制御工程と、
を有し、
前記制御工程では、測定対象でない光源と前記センサとの距離に応じた順序で、測定対象でない光源を消灯させることを特徴とする発光装置の制御方法である。